(57)【要約】【課題】無線モジュールを構成する機器の異常終了時の警告発生条件を正確に取得し、当該機器の異常終了の原因を明確にすることを目的とする。【解決手段】本発明に係る無線モジュールは、基地局に設けられた無線モジュールであって、前記無線モジュールを構成する機器の警告発生条件を記憶する書き換え可能な第１の記憶部と、一度だけ書き込み可能な第２の記憶部と、前記機器の異常終了時に、前記警告発生条件を前記第２の記憶部に書き込む書き込み部とを具備することを特徴とする。【選択図】図１
2007124208.tif 000002
【特許請求の範囲】
【請求項１】
基地局に設けられた無線モジュールであって、
前記無線モジュールを構成する機器の警告発生条件を記憶する書き換え可能な第１の記憶部と、
一度だけ書き込み可能な第２の記憶部と、
前記機器の異常終了時に、前記警告発生条件を前記第２の記憶部に書き込む書き込み部とを具備することを特徴とする無線モジュール。
【請求項２】
前記機器の警告発生条件が満たされた場合、警告を発する警告部を具備することを特徴とする請求項１に記載の無線モジュール。
【請求項３】
前記機器として、前記無線モジュールによって送受信された無線信号を増幅するパワーアンプを有しており、
前記第１の記憶部は、前記パワーアンプの警告発生条件を記憶し、
前記書き込み部は、前記パワーアンプの異常終了時に、前記パワーアンプの警告発生条件を前記第２の記憶部に書き込むことを特徴とする請求項１又は請求項２に記載の無線モジュール。
【発明の詳細な説明】
【技術分野】
【０００１】
本発明は、基地局に設けられた無線モジュールに関する。
【背景技術】
【０００２】
従来、基地局に設けられた無線モジュールでは、当該無線モジュールを構成する機器の警告発生条件が満たされた場合、当該機器の異常終了を警告する警告ランプ（ＬＥＤ）を点灯することが知られている。
【０００３】
かかる無線モジュールでは、一般的に、無線モジュールメーカーから当該無線モジュールの引き渡しを受けた無線モジュール運用者が主体となって保守管理を行っている。
【０００４】
かかる無線モジュールにおいて上述の警告ランプが点灯された場合、無線モジュール運用者は、当該機器を交換する等の対処を行うことによって、当該無線モジュールの安定的な稼動に努める。
【０００５】
ここで、無線モジュールを構成する機器とは、当該無線モジュールによって送受信された無線信号を増幅するパワーアンプや、無線モジュールにおいて発生した熱を冷却するＦＡＮ等を示す。
【０００６】
かかる無線モジュールには、機器の警告発生条件が予め定めれた適正な条件に設定されている。例えば、機器の警告発生条件とは、パワーアンプの電圧が閾値を超えることや、ＦＡＮの回転数が閾値を超えること等である。かかる機器の警告発生条件は、当該無線モジュールの多様な設置環境や運用状況に対応できるように、書き換え可能な記憶部に記憶されている。
【０００７】
したがって、かかる無線モジュールでは、設置環境や運用状況に応じて、無線モジュールに予め設定された適正な警告発生条件を自由に変更することができる。
【特許文献１】特開平０８−１９４０２１号公報
【発明の開示】
【発明が解決しようとする課題】
【０００８】
かかる無線モジュールでは、当該機器の警告発生条件が不適切に変更されたため、警告ランプが点灯される前に、当該機器が異常終了する場合がある。
【０００９】
かかる場合、当該機器の異常終了は、当該機器の欠陥ではなく、当該機器の警告発生条件が不適切に変更されたことに起因する。
【００１０】
しかしながら、書き換え可能な記憶部に記憶された当該機器の警告発生条件は、当該機器の異常終了後にも、変更される可能性があるため、従来の無線モジュールは、当該機器の異常終了時の警告発生条件を、正確に取得することができない場合があるという問題点があった。
【００１１】
そこで、本発明は、以上の点に鑑みてなされたもので、無線モジュールを構成する機器の異常終了時の警告発生条件を正確に取得し、当該機器の異常終了の原因を明確にすることを目的とする。
【課題を解決するための手段】
【００１２】
本発明の第１の特徴は、基地局に設けられた無線モジュールであって、前記無線モジュールを構成する機器の警告発生条件を記憶する書き換え可能な第１の記憶部と、一度だけ書き込み可能な第２の記憶部と、前記機器の異常終了時に、前記警告発生条件を前記第２の記憶部に書き込む書き込み部とを具備することを要旨とする。
【００１３】
本発明の第１の特徴において、前記機器の警告発生条件が満たされた場合、警告を発する警告部を具備するように構成されていてもよい。
【００１４】
本発明の第１の特徴において、前記機器として、前記無線モジュールによって送受信された無線信号を増幅するパワーアンプを有しており、前記第１の記憶部は、前記パワーアンプの警告発生条件を記憶し、前記書き込み部は、前記パワーアンプの異常終了時に、前記パワーアンプの警告発生条件を前記第２の記憶部に書き込むように構成されていてもよい。
【００１５】
かかる特徴によれば、無線モジュールを構成する機器の異常終了時に、書き換え可能な第１の記憶部に記憶された当該機器の警告発生条件を書き換え不可能な第２の記憶部に書き込むことによって、当該機器の異常終了時の警告発生条件を正確に取得することができるため、当該機器の異常終了の原因を明確にすることができる。
【発明の効果】
【００１６】
以上説明したように、本発明によれば、無線モジュールを構成する機器の異常終了時の警告発生条件を正確に取得し、当該機器の異常終了の原因を明確にすることができる。
【発明を実施するための最良の形態】
【００１７】
（本実施形態に係る無線モジュールを含む基地局管理システムの構成）
図１乃至図２を参照して、本実施形態に係る無線モジュールを含む基地局管理システム１００の構成について説明する。
【００１８】
図１に示すように、基地局管理システム１００は、遠隔操作端末５と、サーバ１０と、サーバ１０にネットワークを介して接続された基地局２０（基地局２０ａ、基地局２０ｂ、・・・）と、基地局２０に接続された無線モジュール３０（無線モジュール３０ａ、無線モジュール３０ｂ、・・・）と、無線モジュール３０に接続された操作端末４０（操作端末４０ａ、操作端末４０ｂ、・・・）とから構成されている。
【００１９】
以下、基地局２０の一例として基地局２０ａ、無線モジュール３０の一例として無線モジュール３０ａ、操作端末４０の一例として操作端末４０ａを説明する。
【００２０】
遠隔操作端末５は、サーバ１０に接続され、無線モジュール運用者等が、サーバ１０に対して、無線モジュール３０ａを構成する機器の警告発生条件の変更を指示するように構成されている。
【００２１】
サーバ１０は、無線モジュール３０ａにおいて、無線モジュール３０ａを構成する機器の警告発生条件が満たされた旨を、基地局２０ａを介して通知されるように構成されている。かかる場合、サーバ１０は、遠隔操作端末５に警告メッセージを表示させる等、無線モジュール運用者に当該機器の警告発生条件が満たされた旨を通知するように構成されている。
【００２２】
また、サーバ１０は、遠隔操作端末５の指示によって、無線モジュール３０ａを構成する機器の警告発生条件の変更要求を送信するように構成されている。
【００２３】
また、サーバ１０は、警告発生条件記憶部１１を具備している。
【００２４】
警告発生条件記憶部１１は、後述する警告発生条件部３２と同期されており、無線モジュール３０ａを構成する機器の警告発生条件を記憶している。
【００２５】
具体的には、警告発生条件記憶部１１は、図２に示すように、基地局２０ａを識別する「基地局ＩＤ」と、無線モジュール３０ａを識別する「無線モジュールＩＤ」と、無線モジュール３０ａを構成する機器を識別する「機器ＩＤ」と、当該機器の「警告発生条件」とを関連付けて記憶している。
【００２６】
基地局２０ａは、無線モジュール３０ａとサーバ１０との間のデータを中継するように構成されている。
【００２７】
無線モジュール３０ａは、複数の指向性アンテナを用いてセクタ化されている基地局２０ａにおいて、個々のセクタを管理し、無線信号を送受信するように構成されている。
【００２８】
無線モジュール３０ａは、パワーアンプ３１と、警告発生条件記憶部３２と、フラッシュＲＯＭ３３と、ＬＥＤ３４とを具備している。
【００２９】
パワーアンプ３１は、無線モジュール３０ａを構成する機器であり、無線モジュール３０ａによって送受信された無線信号を増幅する。
【００３０】
警告発生条件記憶部３２は、無線モジュール３０ａを構成する機器の警告発生条件を記憶する書き換え可能な記憶部である。
【００３１】
具体的には、警告発生条件記憶部３２は、図３に示すように、無線モジュール３０ａを構成する機器を識別する「機器ＩＤ」と、当該機器の「警告発生条件」とを関連付けて記憶している。
【００３２】
当該機器の警告発生条件は、無線モジュール３０ａの設計開発工程における試験結果等に基づいて、予め定められた適正な条件に設定されている。
【００３３】
例えば、当該機器の警告発生条件は、「パワーアンプの電圧が１５Ｖ以上であること」や、「ＦＡＮの回転数が１分回に１００回以上であること」等が設定されている。
【００３４】
当該警告発生条件は、無線モジュール３０ａの設置環境や運用状況に応じて、無線モジュール運用者等によって変更可能である。
【００３５】
フラッシュＲＯＭ３３は、一度だけ書き込み可能で、書き換え不可能な記憶部であり、無線モジュール３０ａを構成する機器の異常終了時に、警告発生条件記憶部３２に記憶された当該機器の警告発生条件が書き込まれるように構成されている。
【００３６】
例えば、フラッシュＲＯＭ３３は、不揮発性ＲＯＭメモリの一種であり、大容量のデータを格納することができるように構成されている。
【００３７】
ＬＥＤ３４は、無線モジュール３０ａを構成する機器の警告発生条件が満たされた場合、点灯するように構成されている。
【００３８】
例えば、ＬＥＤ３４は、発光ダイオードによって構成されている。
【００３９】
操作端末４０ａは、無線モジュール３０ａに接続され、無線モジュール運用者等が、警告発生条件記憶部３２に記憶された警告発生条件を直接変更できるように構成されている。
【００４０】
（本実施形態に係る無線モジュールを含む基地局管理システムの動作）
以下、図４を参照して、本実施形態に係る無線モジュール３０ａを含む基地局管理システム１００の動作について説明する。
【００４１】
ここでは、無線モジュール３０ａを構成する機器であるパワーアンプ３１に注目して説明を行う。
【００４２】
第１に、図４（ａ）を参照して、パワーアンプ３１の警告発生条件が満たされた場合、無線モジュール３０ａが警告を発する動作について説明する。
【００４３】
図４（ａ）に示すように、ステップＳ１０１において、パワーアンプ３１の警告発生条件が満たされた場合、無線モジュール３０ａは、基地局２０ａを介してサーバ１０に通知する。さらに、無線モジュール３０ａは、ＬＥＤ３４を点灯させる。
【００４４】
ステップＳ１０２において、基地局２０ａは、無線モジュール３０ａから受信した通知をサーバ１０に転送する。サーバ１０は、受信した通知に基づいて、遠隔操作端末５に警告メッセージを表示させる。
【００４５】
このように、無線モジュール運用者は、無線モジュール３０ａによるＬＥＤ３４の点灯や、サーバ１０による警告メッセージによって、パワーアンプ３１の状態を監視し、パワーアンプ３１の異常終了を回避する。
【００４６】
第２に、図４（ｂ）を参照して、パワーアンプ３１の警告発生条件が変更される動作について説明する。
【００４７】
図４（ｂ）に示すように、ステップＳ１１１において、サーバ１０は、遠隔操作端末５の指示によって、無線モジュール３０ａに対して、パワーアンプ３１の警告発生条件の変更要求を送信する。
【００４８】
ステップＳ１１２において、基地局２０ａは、無線モジュール３０ａに対して、受信した変更要求を転送する。
【００４９】
ステップＳ１１３において、無線モジュール３０ａは、受信した変更要求に基づいて、警告発生条件記憶部３２のパワーアンプ３１の警告発生条件を変更し、変更結果を基地局２０ａに通知する。
【００５０】
ステップＳ１１４において、基地局２０ａは、無線モジュール３０ａより受信した変更結果をサーバ１０に転送する。
【００５１】
サーバ１０は、受信した変更結果に基づいて、警告発生条件記憶部１１のパワーアンプ３１の警告発生条件を更新する。
【００５２】
第３に、図５を参照して、パワーアンプ３１が異常終了した場合の無線モジュール３０ａの動作について説明する。
【００５３】
パワーアンプ３１の異常終了時、無線モジュール３０ａは、無線信号を増幅することができず、パワーアンプ３１の異常終了をサーバ１０に通知することができないため、次のようの動作を行う。
【００５４】
ステップＳ２０１において、パワーアンプ３１は正常に稼動している。
【００５５】
ステップＳ２０２において、パワーアンプ３１が異常終了した場合、本動作はステップＳ２０３に進む。一方、パワーアンプ３１が異常終了しない場合、本動作はステップＳ２０１に戻る。
【００５６】
ステップＳ２０３において、無線モジュール３０ａは、警告発生条件記憶部３２に記憶されているパワーアンプ３１の警告発生条件をフラッシュＲＯＭ３３に書き込む。
【００５７】
ステップＳ２０４において、無線モジュール３０ａは、ＬＥＤ３４を点灯する。
【００５８】
かかる場合、ＬＥＤ３４の点灯によってパワーアンプ３１の異常終了が検知された場合、無線モジュール３０ａが警告を発する前にパワーアンプ３１が異常終了した原因を調査するために、フラッシュＲＯＭ３３に書き込まれたパワーアンプ３１の警告発生条件が解析される。
【００５９】
パワーアンプ３１の警告発生条件が、予め設定された適正な条件と異なり不適切に変更されている場合、パワーアンプ３１の異常終了は、パワーアンプ３１の欠陥ではなく、パワーアンプ３１の警告発生条件が不適切に変更されたことに起因すると推定される。
【００６０】
かかる場合、フラッシュＲＯＭ３３に書き込まれたパワーアンプ３１の警告発生条件を証拠として、パワーアンプ３１の異常終了が、パワーアンプ３１の警告発生条件が不適切に変更されたことに起因するものであると判断することができる。
【００６１】
（本実施形態に係る無線モジュールの作用・効果）
本実施形態に係る無線モジュールによれば、無線モジュール３０ａを構成する機器の異常終了時に、書き換え可能な警告発生条件記憶部３２に記憶された当該機器の警告発生条件を書き換え不可能なフラッシュＲＯＭ３３に書き込むことによって、当該機器の異常終了時の警告発生条件を正確に取得することができるため、当該機器の異常終了の原因を明確にすることができる。
【００６２】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６３】
例えば、無線モジュール３０ａの構成機器であるＦＡＮの異常終了時、無線モジュール３０ａは、ＬＥＤ３４を点灯させ、当該ＦＡＮの異常終了をサーバ１０に通知するように構成してもよい。
【００６４】
このように、本発明はここでは記載していない様々な実施形態等を含むことは勿論である。したがって、本発明の技術的範囲は上記の説明から妥当な特許請求の範囲に係る発明特定事項によってのみ定められるものである。
【図面の簡単な説明】
【００６５】
【図１】本発明の一実施形態に係る無線モジュールを含む基地局管理システムのブロック構成を示す図である。
【図２】本発明の一実施形態に係るサーバの警告発生条件記憶部の一例である。
【図３】本発明の一実施形態に係る無線モジュールの警告発生条件記憶部の一例である。
【図４】本発明の一実施形態に係る基地局管理システムの動作を示すシーケンス図である。
【図５】本発明の一実施形態に係るパワーアンプが異常終了した場合の無線モジュールの動作を示すフローチャートである。
【符号の説明】
【００６６】
５…遠隔操作端末
１００…基地局管理システム
１０…サーバ
１１…警告発生条件記憶部
２０、２０ａ、２０ｂ…基地局
３０、３０ａ、３０ｂ…無線モジュール
３１…パワーアンプ
３２…警告発生条件記憶部
３３…フラッシュＲＯＭ
３４…ＬＥＤ
４０、４０ａ、４０ｂ…操作端末
【図１】
2007124208.tif 000003
【図２】
2007124208.tif 000004
【図３】
2007124208.tif 000005
【図４】
2007124208.tif 000006
【図５】
2007124208.tif 000007